(57)【要約】  本出願の実施例は、伝送リソース確定方法、端末装置とネットワーク装置に関する。該方法は、ターゲット時間ユニットにおける少なくとも一つの第１リソースを確定し、該少なくとも一つの第１リソースが、グラントフリーデータ及び／又は半持続的スケジューリングデータを搬送することに用いられることと、ネットワーク装置から送信されたリソース情報を受信し、該リソース情報が該ターゲット時間ユニットにおけるリソース割り当て状況を示すことに用いられることと、該リソース情報に基づき、該少なくとも一つの第１リソースにおいて利用可能なリソースを確定することと、該利用可能なリソースを使用して該ネットワーク装置に該グラントフリーデータ及び／又は半持続的スケジューリングデータを伝送することとを含む。本出願の実施例における伝送リソース確定方法、端末装置とネットワーク装置によれば、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避する。
2021512522.tif 000002
【特許請求の範囲】
【請求項１】
伝送リソース確定方法であって、
ターゲット時間ユニットにおける少なくとも一つの第１リソースを確定し、前記少なくとも一つの第１リソースが、グラントフリーデータ及び／又は半持続的スケジューリングデータを搬送することに用いられることと、
ネットワーク装置から送信されたリソース情報を受信し、前記リソース情報が、前記ターゲット時間ユニット内のリソース割り当て状況を示すことに用いられることと、
前記リソース情報に基づき、前記少なくとも一つの第１リソースにおいて利用可能なリソースを確定することと、
前記利用可能なリソースを使用して、前記ネットワーク装置と、前記グラントフリーデータ及び／又は半持続的スケジューリングデータの伝送を行うこととを含む、前記伝送リソース確定方法。
【請求項２】
ターゲット時間ユニットにおける少なくとも一つの第１リソースを確定することは、
前記ネットワーク装置から送信された配置シグナリングを受信し、前記配置シグナリングが、前記少なくとも一つの第１リソースを示すことに用いられることを含むことを特徴とする
請求項１に記載の方法。
【請求項３】
前記リソース情報は、少なくとも一つの帯域幅部分及び／又は前記ターゲット時間ユニットのスロットフォーマットを示すことに用いられることを特徴とする
請求項１又は２に記載の方法
【請求項４】
前記リソース情報に基づき、前記少なくとも一つの第１リソースにおいて利用可能なリソースを確定することは、
前記リソース情報に基づき、前記ターゲット時間ユニットにおいて少なくとも一つの第２リソースを確定し、前記少なくとも一つの第２リソースのターゲット特徴が前記少なくとも一つの第１リソースのターゲット特徴と同じであることと、
前記少なくとも一つの第１リソースと前記少なくとも一つの第２リソースとの重畳するリソースにおいて、前記利用可能なリソースを確定することとを含むことを特徴とする
請求項１−３のいずれか一項に記載の方法。
【請求項５】
前記ターゲット特徴は、伝送方向、サブ搬送波間隔及びサイクリックプレフィックス長の少なくとも１つを含むことを特徴とする
請求項４に記載の方法。
【請求項６】
前記少なくとも一つの第１リソースと前記少なくとも一つの第２リソースとの重畳するリソースにおいて、前記利用可能なリソースを確定することは、
前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定することを含むことを特徴とする
請求項４又は５に記載の方法。
【請求項７】
前記少なくとも一つの重畳リソースのうちの各重畳リソースは少なくとも一つの時間領域シンボルを含み、
前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含むことを特徴とする
請求項６に記載の方法。
【請求項８】
前記予め設定された値は、前記少なくとも一つの第１リソースのうちの一つの第１リソースに含まれる時間領域シンボルの数に等しいことを特徴とする
請求項７に記載の方法。
【請求項９】
前記方法はさらに、
前記ネットワーク装置から送信された配置情報を受信し、前記配置情報が前記予め設定された値を示すことに用いられることを含むことを特徴とする
請求項７に記載の方法。
【請求項１０】
前記少なくとも一つの重畳リソースは基準信号に占有されたリソースを含み、
前記予め設定された条件が、前記ターゲット重畳リソースが基準信号に占有されたリソースを含み、前記基準信号がターゲットアンテナポートに対応する基準信号の一部又は全部である場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含むことを特徴とする
請求項６に記載の方法。
【請求項１１】
前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、
前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、
ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースであることを特徴とする
請求項６に記載の方法。
【請求項１２】
前記第１基準信号と前記第２基準信号は、チャネル推定を共同で行うことに用いられることを特徴とする
請求項１１に記載の方法。
【請求項１３】
伝送リソース確定方法であって、
ターゲット時間ユニットにおける少なくとも一つの第１リソースを確定し、前記少なくとも一つの第１リソースが、グラントフリーデータ及び／又は半持続的スケジューリングデータを搬送することに用いられることと、
前記ターゲット時間ユニット内の端末装置のリソース割り当て状況を確定することと、
前記リソース割り当て状況に基づいて、前記少なくとも一つの第１リソースにおいて利用可能なリソースを確定することと、
前記利用可能なリソースを使用して、前記端末装置と、前記グラントフリーデータ及び／又は半持続的スケジューリングデータの伝送を行うこととを含む、前記伝送リソース確定方法。
【請求項１４】
ターゲット時間ユニットにおける少なくとも一つの第１リソースを確定した後、前記方法はさらに、
前記端末装置へ配置シグナリングを送信し、前記配置シグナリングが、前記少なくとも一つの第１リソースを示すことに用いられることを含むことを特徴とする
請求項１３に記載の方法。
【請求項１５】
前記ターゲット時間ユニット内の端末装置に配置されたリソースを確定した後、前記方法はさらに、
前記端末装置へリソース情報を送信し、前記リソース情報が、前記リソース割り当て状況を示すことに用いられることを含むことを特徴とする
請求項１３又は１４に記載の方法。
【請求項１６】
前記リソース情報は、少なくとも一つの帯域幅部分及び／又は前記ターゲット時間ユニットのスロットフォーマットを示すことに用いられることを特徴とする
請求項１５に記載の方法
【請求項１７】
前記リソース割り当て状況に基づいて、前記少なくとも一つの第１リソースにおいて利用可能なリソースを確定することは、
前記リソース割り当て状況に基づいて、前記ターゲット時間ユニット内で少なくとも一つの第２リソースを確定し、前記少なくとも一つの第２リソースのターゲット特徴が前記少なくとも一つの第１リソースのターゲット特徴と同じであることと、
前記少なくとも一つの第１リソースと前記少なくとも一つの第２リソースとの重畳するリソースにおいて、前記利用可能なリソースを確定することとを含むことを特徴とする
請求項１３−１６のいずれか一項に記載の方法。
【請求項１８】
前記ターゲット特徴は、伝送方向、サブ搬送波間隔及びサイクリックプレフィックス長の少なくとも１つを含むことを特徴とする
請求項１７に記載の方法。
【請求項１９】
前記少なくとも一つの第１リソースと前記少なくとも一つの第２リソースとの重畳するリソースにおいて、前記利用可能なリソースを確定することは、
前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定することを含むことを特徴とする
請求項１７又は１８に記載の方法。
【請求項２０】
前記少なくとも一つの重畳リソースのうちの各重畳リソースは少なくとも一つの時間領域シンボルを含み、
前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含むことを特徴とする
請求項１９に記載の方法。
【請求項２１】
前記予め設定された値は、前記少なくとも一つの第１リソースのうちの一つの第１リソースに含まれる時間領域シンボルの数に等しいことを特徴とする
請求項２０に記載の方法。
【請求項２２】
前記方法はさらに、
前記端末装置へ配置情報を送信し、前記配置情報が前記予め設定された値を示すことに用いられることを含むことを特徴とする
請求項２０に記載の方法。
【請求項２３】
前記少なくとも一つの重畳リソースは基準信号に占有されたリソースを含み、
前記予め設定された条件が、前記ターゲット重畳リソースが基準信号に占有されたリソースを含み、前記基準信号がターゲットアンテナポートに対応する基準信号の一部又は全てである場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含むことを特徴とする
請求項１９に記載の方法。
【請求項２４】
前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、
前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、
ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースであることを特徴とする
請求項１９に記載の方法。
【請求項２５】
前記第１基準信号と前記第２基準信号は、チャネル推定を共同で行うことに用いられることを特徴とする
請求項２４に記載の方法。
【請求項２６】
端末装置であって、
ターゲット時間ユニットにおける少なくとも一つの第１リソースを確定するように構成され、前記少なくとも一つの第１リソースが、グラントフリーデータ及び／又は半持続的スケジューリングデータを搬送することに用いられる確定ユニットと、
ネットワーク装置から送信されたリソース情報を受信するように構成され、前記リソース情報が、前記ターゲット時間ユニット内のリソース割り当て状況を示すことに用いられる送受信ユニットとを備え、
前記確定ユニットはさらに前記リソース情報に基づき、前記少なくとも一つの第１リソースにおいて利用可能なリソースを確定するように構成され、
前記送受信ユニットはさらに前記利用可能なリソースを使用して、前記ネットワーク装置と、前記グラントフリーデータ及び／又は半持続的スケジューリングデータの伝送を行うように構成される、前記端末装置。
【請求項２７】
前記送受信ユニットは具体的に、
前記ネットワーク装置から送信された配置シグナリングを受信するように構成され、前記配置シグナリングが、前記少なくとも一つの第１リソースを示すことに用いられることを特徴とする
請求項２６に記載の端末装置。
【請求項２８】
前記リソース情報は、少なくとも一つの帯域幅部分及び／又は前記ターゲット時間ユニットのスロットフォーマットを示すことに用いられることを特徴とする
請求項２６又は２７に記載の端末装置。
【請求項２９】
前記確定ユニットは具体的に、
前記リソース情報に基づき、前記ターゲット時間ユニットにおいて少なくとも一つの第２リソースを確定し、前記少なくとも一つの第２リソースのターゲット特徴が前記少なくとも一つの第１リソースのターゲット特徴と同じであり、
前記少なくとも一つの第１リソースと前記少なくとも一つの第２リソースとの重畳するリソースにおいて、前記利用可能なリソースを確定するように構成されることを特徴とする
請求項２６−２８のいずれか一項に記載の端末装置。
【請求項３０】
前記ターゲット特徴は、伝送方向、サブ搬送波間隔及びサイクリックプレフィックス長の少なくとも１つを含むことを特徴とする
請求項２９に記載の端末装置。
【請求項３１】
前記確定ユニットは具体的に、
前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定するように構成されることを特徴とする
請求項２９又は３０に記載の端末装置。
【請求項３２】
前記少なくとも一つの重畳リソースのうちの各重畳リソースは少なくとも一つの時間領域シンボルを含み、
前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含むことを特徴とする
請求項３１に記載の端末装置。
【請求項３３】
前記予め設定された値は、前記少なくとも一つの第１リソースのうちの一つの第１リソースに含まれる時間領域シンボルの数に等しいことを特徴とする
請求項３２に記載の端末装置。
【請求項３４】
前記送受信ユニットは具体的に、
前記ネットワーク装置から送信された配置情報を受信するように構成され、前記配置情報が前記予め設定された値を示すことに用いられることを特徴とする
請求項３２に記載の端末装置。
【請求項３５】
前記少なくとも一つの重畳リソースは基準信号に占有されたリソースを含み、
前記予め設定された条件が、前記ターゲット重畳リソースが基準信号に占有されたリソースを含み、前記基準信号がターゲットアンテナポートに対応する基準信号の一部又は全部である場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含むことを特徴とする
請求項３１に記載の端末装置。
【請求項３６】
前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、
前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、
ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースであることを特徴とする
請求項３１に記載の端末装置。
【請求項３７】
前記第１基準信号と前記第２基準信号は、チャネル推定を共同で行うことに用いられることを特徴とする
請求項３６に記載の端末装置。
【請求項３８】
ネットワーク装置であって、
ターゲット時間ユニットにおける少なくとも一つの第１リソースを確定するように構成され、前記少なくとも一つの第１リソースが、グラントフリーデータ及び／又は半持続的スケジューリングデータを搬送することに用いられ、
さらに、前記ターゲット時間ユニット内の端末装置のリソース割り当て状況を確定するように構成され、
さらに、前記リソース割り当て状況に基づいて、前記少なくとも一つの第１リソースにおいて利用可能なリソースを確定するように構成される確定ユニットと、
前記利用可能なリソースを使用して、前記端末装置と、前記グラントフリーデータ及び／又は半持続的スケジューリングデータの伝送を行うように構成される送受信ユニットとを備える、前記ネットワーク装置。
【請求項３９】
前記送受信ユニットは具体的に、
前記確定ユニットがターゲット時間ユニットにおける少なくとも一つの第１リソースを確定した後、前記端末装置へ配置シグナリングを送信するように構成され、前記配置シグナリングが、前記少なくとも一つの第１リソースを示すことに用いられることを特徴とする
請求項３８に記載のネットワーク装置。
【請求項４０】
前記送受信ユニットは具体的に、
前記確定ユニットが前記ターゲット時間ユニット内の端末装置に配置されたリソースを確定した後、前記端末装置へリソース情報を送信するように構成され、前記リソース情報が前記リソース割り当て状況を示すことに用いられることを特徴とする
請求項３８又は３９に記載のネットワーク装置。
【請求項４１】
前記リソース情報は、少なくとも一つの帯域幅部分及び／又は前記ターゲット時間ユニットのスロットフォーマットを示すことに用いられることを特徴とする
請求項４０に記載のネットワーク装置。
【請求項４２】
前記確定ユニットは具体的に、
前記リソース割り当て状況に基づいて、前記ターゲット時間ユニットで少なくとも一つの第２リソースを確定し、前記少なくとも一つの第２リソースのターゲット特徴が前記少なくとも一つの第１リソースのターゲット特徴と同じであり、
前記少なくとも一つの第１リソースと前記少なくとも一つの第２リソースとの重畳するリソースにおいて、前記利用可能なリソースを確定するように構成されることを特徴とする
請求項３８−４１のいずれか一項に記載のネットワーク装置。
【請求項４３】
前記ターゲット特徴は、伝送方向、サブ搬送波間隔及びサイクリックプレフィックス長の少なくとも１つを含むことを特徴とする
請求項４２に記載のネットワーク装置。
【請求項４４】
前記確定ユニットは具体的に、
前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定するように構成されることを特徴とする
請求項４２又は４３に記載のネットワーク装置。
【請求項４５】
前記少なくとも一つの重畳リソースのうちの各重畳リソースは少なくとも一つの時間領域シンボルを含み、
前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含むことを特徴とする
請求項４４に記載のネットワーク装置。
【請求項４６】
前記予め設定された値は、前記少なくとも一つの第１リソースのうちの一つの第１リソースに含まれる時間領域シンボルの数に等しいことを特徴とする
請求項４５に記載のネットワーク装置。
【請求項４７】
前記ネットワーク装置はさらに、
前記端末装置へ配置情報を送信し、前記配置情報が前記予め設定された値を示すことに用いられることを含むことを特徴とする請求項４５に記載のネットワーク装置。
【請求項４８】
前記少なくとも一つの重畳リソースは基準信号に占有されたリソースを含み、
前記予め設定された条件が、前記ターゲット重畳リソースが基準信号に占有されたリソースを含み、前記基準信号がターゲットアンテナポートに対応する基準信号の一部又は全部である場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含むことを特徴とする
請求項４４に記載のネットワーク装置。
【請求項４９】
前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、
前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、
ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースであることを特徴とする請求項４４に記載のネットワーク装置。
【請求項５０】
前記第１基準信号と前記第２基準信号は、チャネル推定を共同で行うことに用いられることを特徴とする
請求項４９に記載のネットワーク装置。
【発明の詳細な説明】
【技術分野】
【０００１】
本出願は通信分野に関し、特に伝送リソース確定方法、端末装置とネットワーク装置に関する。
【背景技術】
【０００２】
現在の第５世代（５Ｇ：５ｔｈ  ｇｅｎｅｒａｔｉｏｎ）システムでは、超高信頼低遅延通信（ＵＲＬＬＣ：ｕｌｔｒａ  ｒｅｌｉａｂｌｅ  ｌｏｗ  ｌａｔｅｎｃｙ  ｃｏｍｍｕｎｉｃａｔｉｏｎ）が導入され、該サービスの特徴は、極端な遅延（例えば１ｍｓ）内で超高信頼性（例えば９９．９９９％）の伝送を実現することである。この目標を達成するために、グラントフリー（Ｇｒａｎｔ  ｆｒｅｅ）の概念が提案される。グラントフリー（Ｇｒａｎｔ  ｆｒｅｅ）は、事前配置又は半永続状態のリソース配置方式を使用することが可能であり、端末装置は、サービスニーズに応じて、配置されたリソースでデータを伝送することができる。該技術により、スケジュールリクエスト（ＳＲ：ｓｃｈｅｄｕｌｅ  ｒｅｑｕｅｓｔ）とバッファ状態報告（ＢＳＲ：ｂｕｆｆｅｒ  ｓｔａｔｕｓ  ｒｅｐｏｒｔ）のプロセスを回避することができ、端末装置の有効な伝送時間が長くなる。
【０００３】
５Ｇシステムは、柔軟なアップ・ダウンリンクのリソース配置をサポートするために、スロットフォーマットを半静的又は動的に通知する。例えば、端末装置はシグナリングを受信してスロットフォーマット関連情報（ＳＦＩ：ｓｌｏｔ  ｆｏｒｍａｔ  ｒｅｌａｔｅｄ  ｉｎｆｏｒｍａｔｉｏｎ）を取得し、各スロットにおけるアップ・ダウンリンク時間領域リソースの状況、例えば時間領域シンボルの数及び位置などを確定する。
【０００４】
また、５Ｇシステムでは帯域幅部分（ＢＷＰ：ｂａｎｄｗｉｄｔｈ  ｐａｒｔ）の概念も導入され、新しい無線（ＮＲ：ｎｅｗ  ｒａｄｉｏ）にサポートされるシステム帯域幅が長期進化（ＬＴＥ：ｌｏｎｇ  ｔｅｒｍ  ｅｖｏｌｕｔｉｏｎ）の最大２０ＭＨｚのシステム帯域幅よりもはるかに大きく、いくつかの端末装置に対して、能力が制限され、必ずしも全てのシステム帯域幅がサポートできるとは限らなく、また、スケジューリング効率を向上させることも考慮するため、帯域幅部分（ＢＷＰ）の概念が導入される。一つの搬送波内において、ネットワーク装置は端末装置に一つ又は複数のＢＷＰを配置することができるが、通常、一度に１つのＢＷＰのみをアクティブ化し、該アクティブ化されたＢＷＰを使用してデータを伝送する。
【０００５】
ＳＦＩ、ＢＷＰとグラントフリー（Ｇｒａｎｔ  ｆｒｅｅ）伝送リソースがそれぞれ個別に配置されているため、半静的に配置されたグラントフリー（Ｇｒａｎｔ  ｆｒｅｅ）伝送リソースが、実際の伝送リソースの状況に合わない可能性があり、特にＳＦＩを動的に示す場合、リソース配置の衝突があり得る。
【発明の概要】
【発明が解決しようとする課題】
【０００６】
本出願は、リソース配置の衝突を回避することができる伝送リソース確定方法、端末装置とネットワーク装置を提供する。
【課題を解決するための手段】
【０００７】
第１態様による伝送リソース確定方法は、ターゲット時間ユニットにおける少なくとも一つの第１リソースを確定し、前記少なくとも一つの第１リソースが、グラントフリーデータ及び／又は半持続的スケジューリングデータを搬送することに用いられることと、ネットワーク装置から送信されたリソース情報を受信し、前記リソース情報が前記ターゲット時間ユニットにおけるリソース割り当て状況を示すことに用いられることと、前記リソース情報に基づき、前記少なくとも一つの第１リソースにおいて利用可能なリソースを確定することと、前記利用可能なリソースと前記ネットワーク装置を使用して前記グラントフリーデータ及び／又は半持続的スケジューリングデータを伝送することとを含む。
【０００８】
したがって、本出願の実施例の伝送リソース確定方法では、端末装置は、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合において、半静的に配置されたグラントフリーの伝送リソースが実際の伝送リソースの状況により良く適応することができ、さらにリソース配置の衝突を回避することができる。
【０００９】
第１態様と組み合わせ、第１態様の一つの実施形態では、ターゲット時間ユニットにおける少なくとも一つの第１リソースを確定することは、前記ネットワーク装置から送信された配置シグナリングを受信し、前記配置シグナリングが、前記少なくとも一つの第１リソースを示すことに用いられることを含む。
【００１０】
第１態様及びその上記実施形態と組み合わせ、第１態様の別の実施形態では、前記リソース情報は、少なくとも一つの帯域幅部分及び／又は前記ターゲット時間ユニットのスロットフォーマットを示すことに用いられる。
【００１１】
第１態様及びその上記実施形態と組み合わせ、第１態様の別の実施形態では、前記リソース情報に基づき、前記少なくとも一つの第１リソースにおいて利用可能なリソースを確定することは、前記リソース情報に基づき、前記ターゲット時間ユニットにおいて少なくとも一つの第２リソースを確定し、前記少なくとも一つの第２リソースのターゲット特徴が前記少なくとも一つの第１リソースのターゲット特徴と同じであることと、前記少なくとも一つの第１リソースと前記少なくとも一つの第２リソースとの重畳するリソースにおいて、前記利用可能なリソースを確定することとを含む。
【００１２】
第１態様及びその上記実施形態と組み合わせ、第１態様の別の実施形態では、前記ターゲット特徴は伝送方向、サブ搬送波間隔及びサイクリックプレフィックス長の少なくとも１つを含む。
【００１３】
第１態様及びその上記実施形態と組み合わせ、第１態様の別の実施形態では、前記少なくとも一つの第１リソースと前記少なくとも一つの第２リソースとの重畳するリソースにおいて、前記利用可能なリソースを確定することは、前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定することを含む。
【００１４】
第１態様及びその上記実施形態と組み合わせ、第１態様の別の実施形態では、前記少なくとも一つの重畳リソースのうちの各重畳リソースは、少なくとも一つの時間領域シンボルを含み、前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含む。
【００１５】
第１態様及びその上記実施形態と組み合わせ、第１態様の別の実施形態では、前記予め設定された値は、前記少なくとも一つの第１リソースのうちの一つの第１リソースに含まれる時間領域シンボルの数に等しい。
【００１６】
第１態様及びその上記実施形態と組み合わせ、第１態様の別の実施形態では、前記方法はさらに前記ネットワーク装置から送信された配置情報を受信し、前記配置情報が前記予め設定された値を示すことに用いられることを含む。
【００１７】
第１態様及びその上記実施形態と組み合わせ、第１態様の別の実施形態では、前記少なくとも一つの重畳リソースが基準信号に占有されたリソースを含み、前記予め設定された条件が、前記ターゲット重畳リソースが基準信号に占有されたリソースを含み、前記基準信号がターゲットアンテナポートに対応する基準信号の一部又は全部である場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含む。
【００１８】
第１態様及びその上記実施形態と組み合わせ、第１態様の別の実施形態では、前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースであることを含む。
【００１９】
第１態様及びその上記実施形態と組み合わせ、第１態様の別の実施形態では、前記第１基準信号と前記第２基準信号はチャネルを共同で推定することに用いられる。
【００２０】
したがって、本出願の実施例の伝送リソース確定方法では、端末装置は、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【００２１】
第２態様による伝送リソース確定方法は、ターゲット時間ユニットにおける少なくとも一つの第１リソースを確定し、前記少なくとも一つの第１リソースが、グラントフリーデータ及び／又は半持続的スケジューリングデータを搬送することに用いられることと、前記ターゲット時間ユニット内の端末装置のリソース割り当て状況を確定することと、前記リソース割り当て状況に基づいて、前記少なくとも一つの第１リソースにおいて利用可能なリソースを確定することと、前記利用可能なリソースと前記端末装置を使用して前記グラントフリーデータ及び／又は半持続的スケジューリングデータを伝送することとを含む。
【００２２】
したがって、本出願の実施例の伝送リソース確定方法では、ネットワーク装置は、端末装置にリソースを割り当て、それによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当ての状況を動的に示す場合、半静的に配置されたグラントフリーの伝送リソースが実際の伝送リソースの状況により良く適応することができ、さらにリソース配置の衝突を回避することができる。
【００２３】
第２態様と組み合わせ、第２態様の一つの実施形態では、ターゲット時間ユニットにおける少なくとも一つの第１リソースを確定した後、前記方法はさらに前記端末装置へ配置シグナリングを送信し、前記配置シグナリングが、前記少なくとも一つの第１リソースを示すことに用いられることを含む。
【００２４】
第２態様及びその上記実施形態と組み合わせ、第２態様の別の実施形態では、前記ターゲット時間ユニット内の端末装置に配置されたリソースを確定した後、前記方法は、さらに前記端末装置へリソース情報を送信し、前記リソース情報が、前記リソース割り当て状況を示すことに用いられることを含む。
【００２５】
第２態様及びその上記実施形態と組み合わせ、第２態様の別の実施形態では、前記リソース情報は、少なくとも一つの帯域幅部分及び／又は前記ターゲット時間ユニットのスロットフォーマットを示すことに用いられる。
【００２６】
第２態様及びその上記実施形態と組み合わせ、第２態様の別の実施形態では、前記リソース割り当て状況に基づいて、前記少なくとも一つの第１リソースにおいて利用可能なリソースを確定することは、前記リソース割り当て状況に基づいて、前記ターゲット時間ユニットにおいて少なくとも一つの第２リソースを確定し、前記少なくとも一つの第２リソースのターゲット特徴が前記少なくとも一つの第１リソースのターゲット特徴と同じであることと、前記少なくとも一つの第１リソースと前記少なくとも一つの第２リソースとの重畳するリソースにおいて、前記利用可能なリソースを確定することとを含む。
【００２７】
第２態様及びその上記実施形態と組み合わせ、第２態様の別の実施形態では、前記ターゲット特徴は伝送方向、サブ搬送波間隔及びサイクリックプレフィックス長の少なくとも１つを含む。
【００２８】
第２態様及びその上記実施形態と組み合わせ、第２態様の別の実施形態では、前記少なくとも一つの第１リソースと前記少なくとも一つの第２リソースとの重畳するリソースにおいて、前記利用可能なリソースを確定することは、前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定することを含む。
【００２９】
第２態様及びその上記実施形態と組み合わせ、第２態様の別の実施形態では、前記少なくとも一つの重畳リソースのうちの各重畳リソースは、少なくとも一つの時間領域シンボルを含み、前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含む。
【００３０】
第２態様及びその上記実施形態と組み合わせ、第２態様の別の実施形態では、前記予め設定された値は、前記少なくとも一つの第１リソースのうちの一つの第１リソースに含まれる時間領域シンボルの数に等しい。
【００３１】
第２態様及びその上記実施形態と組み合わせ、第２態様の別の実施形態では、前記方法は、さらに前記端末装置へ配置情報を送信し、前記配置情報が前記予め設定された値を示すことに用いられることを含む。
【００３２】
第２態様及びその上記実施形態と組み合わせ、第２態様の別の実施形態では、前記少なくとも一つの重畳リソースが基準信号に占有されたリソースを含み、前記予め設定された条件が、前記ターゲット重畳リソースが基準信号に占有されたリソースを含み、前記基準信号がターゲットアンテナポートに対応する基準信号の一部又は全部である場合、前記ターゲット重畳リソースを前記利用可能なリソースとして確定し、前記ターゲットアンテナポートが、前記グラントフリーデータ及び／又は半持続的スケジューリングデータを伝送するための少なくとも一つのアンテナポートのうちのアンテナポートであることを含む。
【００３３】
第２態様及びその上記実施形態と組み合わせ、第２態様の別の実施形態では、前記少なくとも一つの第１リソースは、第１サブリソースと第２サブリソースを含み、前記第１サブリソースと前記第２サブリソースが時間領域又は周波数領域で隣接し、前記第１サブリソースが第１基準信号に占有されたリソースを含み、前記第２サブリソースが第２基準信号に占有されたリソースを含み、前記予め設定された条件が、第１ターゲット重畳リソースが前記第１基準信号に占有されたリソースの一部を含まなく又は含み、第２ターゲット重畳リソースが前記第２基準信号に占有されたリソースの全部又は一部を含む場合、前記第１ターゲット重畳リソースと前記第２ターゲット重畳リソースを前記利用可能なリソースとして確定することを含み、ここで、前記ターゲット重畳リソースが前記第１ターゲット重畳リソースと前記第２ターゲット重畳リソースを含み、前記第１ターゲット重畳リソースが、前記第１サブリソースと前記少なくとも一つの第２リソースとの重畳リソースであり、前記第２ターゲット重畳リソースが、前記第２サブリソースと前記少なくとも一つの第２リソースとの重畳リソースである。
【００３４】
第２態様及びその上記実施形態と組み合わせ、第２態様の別の実施形態では、前記第１基準信号と前記第２基準信号はチャネルを共同で推定することに用いられる。
【００３５】
したがって、本出願の実施例の伝送リソース確定方法では、ネットワーク装置は、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【００３６】
第３態様による端末装置は上記第１態様又は第１態様のいずれかの可能な実施形態における方法を実行することに用いられる。具体的には、該端末装置は、上記第１態様又は第１態様のいずれかの可能な実施形態における方法を実行するためのユニットを備える。
【００３７】
第４態様によるネットワーク装置は上記第２態様又は第２態様のいずれかの可能な実施形態における方法を実行することに用いられる。具体的には、該ネットワーク装置は、上記第２態様又は第２態様のいずれかの可能な実施形態における方法を実行するためのユニットを備える。
【００３８】
第５態様による端末装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第１態様又は第１態様のいずれかの可能な実施形態における方法を実行する。
【００３９】
第６態様によるネットワーク装置は、記憶ユニットとプロセッサを備え、該記憶ユニットが命令を記憶するように構成され、該プロセッサが該メモリに記憶された命令を実行するように構成され、該プロセッサが該メモリに記憶された命令を実行する場合、該実行により該プロセッサが第２態様又は第２態様のいずれかの可能な実施形態における方法を実行する。
【００４０】
第７態様によるコンピュータ可読媒体は、コンピュータプログラムを記憶するように構成され、該コンピュータプログラムが第１態様又は第１態様のいずれかの可能な実施形態における方法を実行するための命令を含む。
【００４１】
第８態様によるコンピュータ可読媒体は、コンピュータプログラムを記憶するように構成され、該コンピュータプログラムが第２態様又は第２態様のいずれかの可能な実施形態における方法を実行するための命令を含む。
【００４２】
第９態様による命令を含むコンピュータプログラム製品は、コンピュータが前記コンピュータプログラム製品の前記命令を実行する場合、前記コンピュータが上記の第１態様又は第１態様の任意の可能な実施形態における伝送リソース確定方法を実行する。具体的には、該コンピュータプログラム製品は上記第３態様の端末装置で実行されてもよい。
【００４３】
第１０態様による命令を含むコンピュータプログラム製品は、コンピュータが前記コンピュータプログラム製品の前記命令を実行する場合、前記コンピュータが上記の第２態様又は第２態様の任意の可能な実施形態における伝送リソース確定方法を実行する。具体的には、該コンピュータプログラム製品は上記第４態様のネットワーク装置で実行されてもよい。
【図面の簡単な説明】
【００４４】
【図１】本出願の実施例による伝送リソース確定方法を示す概略フローチャートである。
【図２】本出願の実施例による第１リソース、第２リソース及び利用可能なリソースを示す図である。
【図３】本出願の別の実施例による第１リソース、第２リソース及び利用可能なリソースを示す図である。
【図４】本出願のさらなる別の実施例による第１リソース、第２リソース及び利用可能なリソースを示す図である。
【図５】本出願のさらなる別の実施例による第１リソース、第２リソース及び利用可能なリソースを示す図である。
【図６】本出願の実施例による伝送リソース確定方法を示す別の概略フローチャートである。
【図７】本出願の実施例による端末装置の概略ブロック図である。
【図８】本出願の実施例によるネットワーク装置の概略ブロック図である。
【図９】本出願の実施例による端末装置の別の概略ブロック図である。
【図１０】本出願の実施例によるネットワーク装置の別の概略ブロック図である。
【発明を実施するための形態】
【００４５】
以下に図面と組み合わせながら本出願の実施例における技術的解決策を説明する。
【００４６】
本出願の実施例の技術的解決策は様々な通信システム、例えばグローバルモバイル通信（ＧＳＭＣ：ｇｌｏｂａｌ  ｓｙｓｔｅｍ  ｏｆ  ｍｏｂｉｌｅ  ｃｏｍｍｕｎｉｃａｔｉｏｎ）システム、符号分割多元アクセス（ＣＤＭＡ：ｃｏｄｅ  ｄｉｖｉｓｉｏｎ  ｍｕｌｔｉｐｌｅ  ａｃｃｅｓｓ）システム、帯域符号分割多元接続（ＷＣＤＭＡ：ｗｉｄｅｂａｎｄ  ｃｏｄｅ  ｄｉｖｉｓｉｏｎ  ｍｕｌｔｉｐｌｅ  ａｃｃｅｓｓ）システム、汎用パケット無線サービス（ＧＰＲＳ：ｇｅｎｅｒａｌ  ｐａｃｋｅｔ  ｒａｄｉｏ  ｓｅｒｖｉｃｅ）、長期進化型（ＬＴＥ：ｌｏｎｇ  ｔｅｒｍ  ｅｖｏｌｕｔｉｏｎ）システム、ＬＴＥ周波数分割複信（ＦＤＤ：ｆｒｅｑｕｅｎｃｙ  ｄｉｖｉｓｉｏｎ  ｄｕｐｌｅｘ）システム、ＬＴＥ時分割複信（ＴＤＤ：Ｔｉｍｅ  Ｄｉｖｉｓｉｏｎ  Ｄｕｐｌｅｘ）、汎用移動通信システム（ＵＭＴＳ：ｕｎｉｖｅｒｓａｌ  ｍｏｂｉｌｅ  ｔｅｌｅｃｏｍｍｕｎｉｃａｔｉｏｎ  ｓｙｓｔｅｍ）、グローバル相互接続マイクロ波アクセス（ＷｉＭＡＸ：ｗｏｒｌｄｗｉｄｅ  ｉｎｔｅｒｏｐｅｒａｂｉｌｉｔｙ  ｆｏｒ  ｍｉｃｒｏｗａｖｅ  ａｃｃｅｓｓ）通信システム、将来の第５世代（５Ｇ：５ｔｈ  ｇｅｎｅｒａｔｉｏｎ）システム又は新しい無線（ＮＲ：ｎｅｗ  ｒａｄｉｏ）などに応用されてもよい。
【００４７】
本出願の実施例における端末装置はユーザ装置、アクセス端末、加入者ユニット、加入者局、移動局、移動ステーション、遠隔局、遠隔端末、移動装置、ユーザ端末、端末、無線通信装置、ユーザエージェント又はユーザ装置を指すことができる。端末装置はセルラー電話、コードレス電話、セッション開始プロトコル（ＳＩＰ：ｓｅｓｓｉｏｎ  ｉｎｉｔｉａｔｉｏｎ  ｐｒｏｔｏｃｏｌ）電話、無線ローカルループ（ＷＬＬ：ｗｉｒｅｌｅｓｓ  ｌｏｃａｌ  ｌｏｏｐ）サイト、パーソナルデジタル処理（ＰＤＡ：ｐｅｒｓｏｎａｌ  ｄｉｇｉｔａｌ  ａｓｓｉｓｔａｎｔ）、無線通信機能を備えたハンドヘルドデバイス、コンピューティングデバイス又は無線モデムに接続された他の処理装置、車載デバイス、ウェアラブルデバイス、将来の５Ｇネットワークにおける端末装置又は将来の進化した公衆陸上モバイルネットワーク（ＰＬＭＮ：ｐｕｂｌｉｃ  ｌａｎｄ  ｍｏｂｉｌｅ  ｎｅｔｗｏｒｋ）における端末装置などであってもよく、本出願の実施例はこれに限定されない。
【００４８】
本出願の実施例におけるネットワーク装置は端末装置と通信するための装置であってもよく、該ネットワーク装置はＧＳＭＣシステム又はＣＤＭＡにおける基地局（ＢＴＳ：ｂａｓｅ  ｔｒａｎｓｃｅｉｖｅｒ  ｓｔａｔｉｏｎ）であってもよく、ＷＣＤＭＡシステムにおける基地局（ＮＢ：ＮｏｄｅＢ）であってもよく、ＬＴＥシステムにおける進化型基地局（ｅＮＢ又はｅＮｏｄｅＢ：ｅｖｏｌｕｔｉｏｎａｌ  ＮｏｄｅＢ）であってもよく、クラウド無線アクセスネットワーク（ＣＲＡＮ：ｃｌｏｕｄ  ｒａｄｉｏ  ａｃｃｅｓｓ  ｎｅｔｗｏｒｋ）シーンにおける無線コントローラであってもよく、又は該ネットワーク装置は中継局、アクセスポイント、車載デバイス、ウェアラブルデバイス及び将来の５Ｇネットワークにおけるネットワーク装置又は将来の進化したＰＬＭＮネットワークにおけるネットワーク装置などであってもよく、本出願の実施例では限定されない。
【００４９】
図１は本出願の実施例による伝送リソース確定方法１００の概略フローチャートである。該方法１００は端末装置によって実行されてもよい。図１に示すように、該方法１００は、ターゲット時間ユニットにおける少なくとも一つの第１リソースを確定し、該少なくとも一つの第１リソースが、グラントフリーデータ及び／又は半持続的スケジューリングデータを搬送することに用いられるＳ１１０と、ネットワーク装置から送信されたリソース情報を受信し、該リソース情報が該ターゲット時間ユニットにおけるリソース割り当て状況を示すことに用いられるＳ１２０と、該リソース情報に基づき、該少なくとも一つの第１リソースにおいて利用可能なリソースを確定するＳ１３０と、該利用可能なリソースを使用して該ネットワーク装置に該グラントフリーデータ及び／又は半持続的スケジューリングデータを伝送するＳ１４０とを含む。
【００５０】
Ｓ１１０において、端末装置がターゲット時間ユニットにおける少なくとも一つの第１リソースを確定することは、具体的に端末装置がネットワーク装置から送信された配置シグナリングを受信し、該配置シグナリングが該少なくとも一つの第１リソースを示すことに用いられることを含むことができる。具体的には、該少なくとも一つの第１リソースは、グラントフリー（Ｇｒａｎｔ  ｆｒｅｅ）データ及び／又は半持続的スケジューリングデータを搬送することに用いられてもよい。
【００５１】
現在、グラントフリー（Ｇｒａｎｔ  ｆｒｅｅ）リソースの配置方式が主に２つであり、そのうちの一つの配置方式では、無線リソース制御（ＲＲＣ：Ｒａｄｉｏ  Ｒｅｓｏｕｒｃｅ  Ｃｏｎｔｒｏｌ）シグナリングを用いて該グラントフリー（Ｇｒａｎｔ  ｆｒｅｅ）リソースを（半静的に）配置し、ここで、該ＲＲＣシグナリングが時間周波数リソース、基準シンボル情報、変調符号化方式及び電力制御パラメータを含むことができる。もう一つの配置方式では、ＲＲＣシグナリングと物理層シグナリングの組み合わせにより配置し、ＲＲＣシグナリング配置が時間領域リソース周期と電力制御パラメータを含み、物理層シグナリング配置が周波数領域リソース、参照シンボル情報、変調及び符号化方式を含む。選択可能に、該少なくとも一つの第１リソースは上記の２つの方式のいずれかの一つで配置されてもよく、本出願の実施例はこれに限定されない。
【００５２】
本出願の実施例では、該少なくとも一つの第１リソースは周期的リソースであってもよし、非周期的リソースであってもよい。具体的には、端末装置はターゲット時間ユニット内の少なくとも一つの第１リソースを確定し、該少なくとも一つの第１リソースのそれぞれが少なくとも一つの時間領域シンボルを含むことができ、該少なくとも一つの第１リソースのそれぞれに含まれる時間領域シンボルの数が同じであってもよく、又は異なってもよい。
【００５３】
例えば、図２に示すように、該少なくとも一つの第１リソースが周期的リソースであることを例とし、該少なくとも一つの第１リソースの周期が４つの時間領域シンボルである。具体的には、図２に示されるように、該少なくとも一つの第１リソースに含まれる７つの第１リソースがそれぞれ１〜７であり、各第１リソースがいずれも２つの時間領域シンボルを含み、且ついずれか２つの隣接する第１リソースの間に２つの時間領域シンボルの間隔が取られている。ここで、１〜４がスロット１に対応し、５〜７がスロット２に対応し、ここでターゲット時間ユニットがスロット１であることを例とすると、該少なくとも一つの第１リソースは該ターゲット時間ユニットにおいて４つの第１リソース、即ち図２における第１リソース１〜４を含む。選択可能に、該図２において、該時間領域シンボルは直交周波数分割多重（ＯＦＤＭ：ｏｒｔｈｏｇｏｎａｌ  ｆｒｅｑｕｅｎｃｙ  ｄｉｖｉｓｉｏｎ  ｍｕｌｔｉｐｌｅｘｉｎｇ）シンボルであってもよい。
【００５４】
選択可能に、該少なくとも一つの第１リソースはアップリンクリソース又はダウンリンクリソースであってもよく、即ち該第１リソースはアップリンクデータ又はダウンリンクデータを伝送することに用いられてもよく、本出願の実施例はこれに限定されない。
【００５５】
Ｓ１２０で、端末装置はネットワーク装置から送信されたリソース情報を受信し、該リソース情報が該ターゲット時間ユニット内のリソース割り当て状況を示すことに用いられる。選択可能に、該リソース情報は少なくとも一つのＢＷＰを示すことに用いられてもよく、及び／又は、該リソース情報はターゲット時間ユニットのスロットフォーマットを示すことに用いられる。
【００５６】
具体的には、該端末装置はネットワーク装置から送信された配置シグナリングを受信することができ、該配置シグナリングが該リソース情報を搬送することに用いられる。例えば、該配置シグナリングはＲＲＣシグナリングであってもよいが、本出願の実施例はこれに限定されない。
【００５７】
選択可能に、該リソース情報は少なくとも一つのＢＷＰを示すことに用いられてもよい。ネットワーク装置は端末装置に一つ又は複数のＢＷＰを配置することができ、一般的に、端末装置は一つのＢＷＰのみを毎度アクティブ化し、該リソース情報は該アクティブされたＢＷＰを示すことに用いられてもよく、選択可能に、該リソース情報は他のＢＷＰを示すことにも用いられるが、本出願の実施例はこれに限定されない。具体的には、該リソース情報に示されたいずれかのＢＷＰは基礎パラメータセット（Ｎｕｍｅｒｏｌｏｇｙ）、中心周波数及び帯域幅の３つのパラメータを含むことができ、ここでＮｕｍｅｒｏｌｏｇｙが搬送波間隔（ＳＣＳ：ｓｕｂｃａｒｒｉｅｒ  ｓｐａｃｉｎｇ）を表すことができる基基礎パラメーターセットを表し、帯域幅が最大システム帯域幅以下である。
【００５８】
選択可能に、該リソース情報はターゲット時間ユニットのスロットフォーマットを示すことにも用いられてもよく、ここで、該スロットフォーマットが該ターゲット時間ユニットに含まれる時間領域シンボルの位置及び数を含むことができる。
【００５９】
本出願の実施例では、端末装置は該リソース情報に基づき、該端末装置のリソース割り当て状況を確定することができ、該リソース割り当て状況が該端末装置のＢＷＰ及びスロットフォーマットを含み、該端末装置が該少なくとも一つの第２リソースを使用してネットワーク装置にデータを伝送することができるように、さらにネットワーク装置によって該端末装置に割り当てられたターゲット時間ユニット内の少なくとも一つの第２リソースを確定し、該少なくとも一つの第２リソースがアップリンクリソース又はダウンリンクリソースであってもよい。
【００６０】
Ｓ１３０において、端末装置は該リソース情報に基づき、該少なくとも一つの第１リソースにおいて利用可能なリソースを確定する。具体的には、端末装置はリソース情報に対応する、ターゲット時間ユニット内の少なくとも一つの第２リソースを確定し、さらに該少なくとも一つの第２リソースのターゲット特徴及び少なくとも一つの第１リソースのターゲット特徴を確定し、該少なくとも一つの第１リソースと少なくとも一つの第２リソースのターゲット特徴が同じである場合、該少なくとも一つの第１リソースと少なくとも一つの第２リソースとの少なくとも一つの重畳リソースを確定し、該少なくとも一つの重畳リソースにおいて利用可能なリソースを確定することができる。選択可能に、端末装置は予め設定された条件に応じて、該少なくとも一つの重畳リソースにおけるターゲット重畳リソースが利用可能なリソースであるか否かを確定することができ、ここで、該ターゲット重畳リソースが該少なくとも一つの重畳リソースのいずれかのリソースであってもよい。
【００６１】
理解すべきものとして、該ターゲット特徴は、伝送方向、サブ搬送波間隔及びサイクリックプレフィックス長の少なくとも１つを含むことができる。ここで、伝送方向は、アップリンク伝送又はダウンリンク伝送に用いられる該少なくとも一つの第１リソースと少なくとも一つの第２リソースである。
【００６２】
選択可能に、一つの実施例として、ターゲット時間ユニットでは、少なくとも一つの重畳リソースのうちの各重畳リソースは少なくとも一つの時間領域シンボルを含むことができ、それに対応して、端末装置が該少なくとも一つの重畳リソースにおけるターゲット重畳リソースが利用可能なリソースであるか否かを確定するための予め設定された条件が、該ターゲット重畳リソースに含まれる時間領域シンボルの数が予め設定された値以上である場合、該ターゲット重畳リソースを利用可能なリソースとして確定することができることを含むことができる。
【００６３】
理解すべきものとして、上記の予め設定された条件における該予め設定された値は実際の状況に応じて設定されてもよい。選択可能に、該予め設定された値は、ネットワーク装置によって予め配置されてもよく、具体的には、端末装置はネットワーク装置から送信された配置情報を受信し、該配置情報が該予め設定された値を示すことに用いられ、端末装置は該配置情報に基づき、該予め設定された値を確定する。
【００６４】
選択可能に、該予め設定された値はさらに端末装置が少なくとも一つの第１リソースのうちの一つの第１リソースに含まれる時間領域シンボルの数に基づいて確定したものであってもよい。具体的には、該少なくとも一つの第１リソースに含まれる時間領域シンボルの数が同じであってもよく、該予め設定された値が該少なくとも一つの第１リソースのそれぞれに含まれる時間領域シンボルの数に等しくてもよい。該少なくとも一つの第１リソースに含まれる時間領域シンボルが異なってもよく、該予め設定された値がその中の最大値又は最小値に等しくてもよく、該最大値が該少なくとも一つの第１リソースにおける最も多い時間領域シンボルが含まれる第１リソースに含まれる時間領域シンボルの数を指し、最小値が該少なくとも一つの第１リソースにおける最も少ない時間領域シンボルが含まれる第１リソースに含まれる時間領域シンボルの数を指し、又は、該予め設定された値がさらに該ターゲット重畳リソースに対応する第１リソースに含まれる時間領域シンボルの数に等しくてもよい。
【００６５】
例えば、図２に示すように、ターゲット時間ユニットはスロット１とスロット２を含み、且つ各スロットに１４つの時間領域シンボルが含まれると仮定し、ここでＯＦＤＭシンボルを例とし、また、図２に、該ターゲット時間ユニット内の少なくとも一つの第１リソースに含まれる、番号が１〜７である７つの第１リソースが示され、該ターゲット時間ユニットに番号が１、２である２つの第２リソースが含まれ、ここで、該７つの第１リソースと２つの第２リソースがいずれもアップリンク伝送に用いられ、即ちいずれもアップリンクリソースであり、予め設定された条件としては、該７つの第１リソースと２つの第２リソースの複数の重畳リソースにおけるターゲット重畳リソースに含まれる時間領域シンボルが予め設定された値以上である場合、ターゲット重畳リソースを利用可能なリソースとして確定する。選択可能に、ここで該７つの第１リソースのそれぞれが同じ数の時間領域シンボルを含み、例えば、各第１リソースが２つのＯＦＤＭシンボルを含むと仮定する場合、予め設定された条件における予め設定された値が、該各第１リソースに含まれる時間領域シンボルの数に等しくてもよく、即ち予め設定された値が２つのＯＦＤＭシンボルに等しい。第１リソース３を例とすると、該第１リソース３と２つの第２リソースとの重畳部分が、ターゲット重畳リソースであり、該ターゲット重畳リソースに含まれる時間領域シンボルの数が２つのＯＦＤＭシンボルに等しく、したがって、該ターゲット重畳リソースを利用可能なリソースとして確定することができる。また、第１リソース５を例とすると、該第１リソース５と２つの第２リソースの重畳部分がターゲット重畳リソースであり、該ターゲット重畳リソースに含まれる時間領域シンボルの数が２つのＯＦＤＭシンボルより小さく、したがって、該ターゲット重畳リソースが利用可能なリソースに属しない。これによって類推し、該７つの第１リソースと２つの第２リソースの重畳リソースでは第１リソース２、３、４、６及び７に対応するリソースが利用可能なリソースとして確定される。
【００６６】
また、例えば、依然として図２を例とし、ここでの７つの第１リソースに含まれる時間領域シンボルが異なると仮定する場合、該予め設定された値は、さらに該少なくとも一つの第１リソースに含まれる時間領域シンボルの数の最大値又は最小値に設定されてもよく、又は、該予め設定された値は、さらにターゲット重畳リソースに対応する第１リソースのサイズに設定されてもよい。第１リソース５を例とすると、該第１リソース５と２つの第２リソースの重畳部分がターゲット重畳リソースであり、該ターゲット重畳リソースが該第１リソース５の一部だけであり、即ち該ターゲット重畳リソースに含まれる時間領域シンボルの数が該第１リソース５に含まれる時間領域シンボルの数より小さいため、該第１リソース５の一部に対応するターゲット重畳リソースが利用可能なリソースに属しない。
【００６７】
選択可能に、一つの実施例として、ターゲット時間ユニットでは、少なくとも一つの第１リソースは基準信号に占有されたリソースを含み、それに対応して、少なくとも一つの重畳リソースも基準信号に占有されたリソースを含むことができ、それに対応して、端末装置が該少なくとも一つの重畳リソースにおけるターゲット重畳リソースが利用可能なリソースであるか否かを確定するための予め設定された条件が、該少なくとも一つの重畳リソースにおけるターゲット重畳リソースが基準信号に占有されたリソースを含み、該基準信号がターゲットアンテナポートに対応する基準信号の一部又は全部である場合、該ターゲット重畳リソースを利用可能なリソースとして確定し、該ターゲットアンテナポートが該グラントフリーデータ及び／又は半持続的スケジューリングデータを伝送するための少なくとも一つのアンテナポートのうちのアンテナポートであることを含むことができる。
【００６８】
理解すべきものとして、該ターゲット重畳リソースが基準信号占有されたリソースを含み、該基準信号がターゲットアンテナポートに対応する基準信号の一部である場合、該部分の信号が同様にチャネル推定を完了することができる。
【００６９】
例えば、図３に示すように、ターゲット時間ユニットはスロット１とスロット２を含み、且つ各スロットに１４つの時間領域シンボルが含まれると仮定し、ここでＯＦＤＭシンボルを例とし、また、図３に、該ターゲット時間ユニット内の少なくとも一つの第１リソースに含まれる番号が１〜７である７つの第１リソースが示され、該ターゲット時間ユニットに番号が１、２である２つの第２リソースが含まれ、ここで、該７つの第１リソースと２つの第２リソースがいずれもアップリンク伝送に用いられ、即ちいずれもアップリンクリソースであり、該７つの第１リソースのそれぞれに基準信号に占有されたリソース、即ち各第１リソースにおけるブラックボックスによって示される部分が含まれる。ここで予め設定された条件が、該７つの第１リソースと２つの第２リソースの複数の重畳リソースにおけるターゲット重畳リソースが基準信号を含み、しかも該基準信号がターゲットアンテナポートに対応する基準信号の全部である場合、該ターゲット重畳信号を利用可能なリソースとして確定するように設定される。
【００７０】
選択可能に、図３における第１リソース２を例とすると、該第１リソース２と２つの第２リソースの重畳部分が該第１リソース２の全部を含み、即ち該ターゲット重畳リソースが第１リソース２の全部であり、該第１リソース２における基準信号に占有されたリソースの全てを含み、したがって、予め設定されたルールに従って、該第１リソース２に対応するターゲット重畳リソースを利用可能なリソースとして確定することができる。
【００７１】
選択可能に、図３における第１リソース４を例とすると、該第１リソース４と２つの第２リソースの重畳部分が該第１リソース４の左半分のみを含み、即ち該ターゲット重畳リソースが第１リソース４の左半分であるが、その中に該第１リソース４における基準信号に占有されたリソースの全部を含み、したがって、予め設定されたルールに従って、該第１リソース４に対応するターゲット重畳リソースを利用可能なリソースとして確定することができ、即ち該利用可能なリソースは第１リソース４の左半分だけである。
【００７２】
選択可能に、図３における第１リソース５を例とすると、該第１リソース５と２つの第２リソースの重畳部分が該第１リソース５の左右分のみを含み、即ち該ターゲット重畳リソースが第１リソース５の右半分であるが、その中に該第１リソース５における基準信号に占有されたリソースの全部が含まれなく、したがって、予め設定されたルールに従って、該第１リソース５に対応するターゲット重畳リソースは利用可能なリソースに属しないと確定されてもよく、即ち該利用可能なリソースは該第１リソース５を含めない。
【００７３】
したがって、図３に示すように、上記の予め設定されたルールに従って、確定できる利用可能なリソースは図３に示されるものであってもよく、利用可能なリソースのそれぞれに基準信号に占有されたリソースが含まれ、且つ該基準信号がいずれも対応するアンテナポートの基準信号の全部である。
【００７４】
また、例えば、図４に示すように、ターゲット時間ユニットはスロット１を含み、該スロット１が１４つの時間領域シンボルを含み、ここでＯＦＤＭシンボルを例とし、また、ここで該端末装置は一つのＢＷＰのみをアクティブ化すると仮定し、即ち図４に示すように、ターゲット時間ユニットと該ＢＷＰに基づいて番号１の１つの第２リソースを確定することができ、図４に該ターゲット時間ユニット内の少なくとも一つの第１リソースに含まれる番号１〜４の４つの第１リソースが示され、該４つの第１リソースと１つの第２リソースがいずれもアップリンク伝送に用いられ、即ちいずれもアップリンクリソースであり、該４つの第１リソースのそれぞれに基準信号に占有されたリソース、即ち各第１リソースにおけるラックボックスによって示される部分が含まれる。ここで予め設定された条件が、該４つの第１リソースと１つの第２リソースの複数の重畳リソースにおけるターゲット重畳リソースが基準信号を含み、しかも該基準信号がターゲットアンテナポートに対応する基準信号の全部又は部分である場合、該ターゲット重畳信号を利用可能なリソースとして確定するように設定される。
【００７５】
選択可能に、図４における第１リソース１を例とすると、該第１リソース１と第２リソースの間に重畳リソースがないため、該第１リソース１に利用可能なリソースがない。
【００７６】
選択可能に、図４における第１リソース３を例とすると、該第１リソース３と２つの第２リソースの重畳リソースが該第１リソース３の下半分であり、即ち該第１リソース３に対応するターゲット重畳リソースが該第１リソース３の下半分であり、該ターゲット重畳リソースに基準信号に占有されたリソースが含まれ、且つ該基準信号が対応する第１リソース３にける一部の基準信号であり、予め設定されたルールに従って、該第１リソース３に対応するターゲット重畳リソースを利用可能なリソースとして確定することができる。
【００７７】
これによって類推し、該図４における４つの第１リソースでは、第１リソース２、３及び４の下半分がいずれも利用可能なリソースとして確定されてもよい。理解すべきものとして、該利用可能なリソースに一部の基準信号に占有されたリソースのみが含まれ、該部分の基準信号が同様にチャネル推定を独立して完了することができる。
【００７８】
選択可能に、一つの実施例として、少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースのそれぞれを利用可能なリソースとして確定することを含むことができ、ここで、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースである。
【００７９】
理解すべきものとして、第１ターゲット重畳リソースが該第１基準信号に占有されたリソースを完全に含めなく、第２ターゲット重畳リソースが該第２基準信号に占有されたリソースの全部又は一部を含む場合、それに対応して、該第２基準信号を使用して該第１ターゲット重畳リソースに対応するチャネル及び／又は該第２ターゲット重畳リソースに対応するチャネルを推定する。
【００８０】
理解すべきものとして、第１ターゲット重畳リソースが該第１基準信号に占有されたリソースの一部を含み、第２ターゲット重畳リソースが該第２基準信号に占有されたリソースの一部を含む場合、該第１基準信号と該第２基準信号を使用して該第１ターゲット重畳リソースに対応するチャネル及び／又は該第２ターゲット重畳リソースに対応するチャネルを共同で推定する。
【００８１】
例えば、図５に示すように、ターゲット時間ユニットはスロット１を含み、該スロット１に１４つの時間領域シンボルが含まれると仮定し、ここでＯＦＤＭシンボルを例とし、また、図４に該ターゲット時間ユニット内の少なくとも一つの第１リソースに含まれる番号１〜７の７つの第１リソースが示され、該７つの第１リソース同士が時間領域で連続し、該ターゲット時間ユニットはさらに一つの第２リソースを含み、ここで、該７つの第１リソースと１つの第２リソースのそれぞれがアップリンク伝送に用いられ、即ちいずれもアップリンクリソースであり、該７つの第１リソースのそれぞれに基準信号に占有されたリソース、即ち各第１リソースにおけるブラックボックスによって示される部分が含まれる。
【００８２】
具体的には、図５に示すように、該７つの第１リソースにおける第１リソース２と第２リソースの重畳リソースが基準信号に占有されたリソースを含めなく、即ち該第１リソース２が第１サブリソースであってもよく、該第１リソース２と第２リソースの重畳リソースは第１ターゲット重畳リソースであり、該第１ターゲット重畳リソースに基準信号に占有されたリソースが含まれない。該７つの第１リソースにおける第１リソース２と隣接する第１リソース３と第２リソースの重畳リソースに基準信号に占有されたリソースが含まれ、対応する基準信号に占有されたリソースの全部を含み、即ち該第１リソース３は第２サブリソースであってもよく、該第１リソース３と該第２リソースの重畳リソースは該第２ターゲット重畳リソースであり、該第２ターゲット重畳リソースは第１リソース３における基準信号に占有されたリソースの全部を含む。したがって、上記の予め設定された条件に応じて、該第１ターゲット重畳リソースと第２ターゲット重畳リソースはいずれも利用可能なリソースとして確定されてもよい。ここで、第１ターゲット重畳リソースと第２ターゲット重畳リソースが時間領域で隣接するため、第２ターゲット重畳リソースに搬送された基準信号によって第１ターゲット重畳リソースに搬送された信号及び第２ターゲット重畳リソースに搬送された信号に対してチャネル推定を行うことができる。
【００８３】
本出願の実施例では、端末装置は上記方式で、第１リソースにおいて利用可能なリソースを確定し、さらにＳ１４０で、該利用可能なリソースを使用して該ネットワーク装置に該グラントフリーデータ及び／又は半持続的スケジューリングデータを伝送する。
【００８４】
具体的には、利用可能なリソースがアップリンクリソースである場合、該端末装置は上記方式で、利用可能なリソースを確定し、該利用可能なリソースによってネットワーク装置へ該グラントフリーデータ及び／又は半持続的スケジューリングデータを送信し、同様に、ネットワーク装置は、該利用可能なリソースによって該端末装置から送信された該グラントフリーデータ及び／又は半持続的スケジューリングデータを受信するように、該利用可能なリソースを確定することができる。利用可能なリソースがダウンリンクリソースである場合、該端末装置は上記方式で、利用可能なリソースを確定し、該利用可能なリソースによってネットワーク装置から送信された該グラントフリーデータ及び／又は半持続的スケジューリングデータを受信し、同様に、ネットワーク装置は、該利用可能なリソースによって該端末装置へ該グラントフリーデータ及び／又は半持続的スケジューリングデータを送信するように、該利用可能なリソースを確定することができる。
【００８５】
したがって、本出願の実施例の伝送リソース確定方法では、端末装置は、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当ての状況を動的に示す場合、半静的に配置されたグラントフリーの伝送リソースが実際の伝送リソースの状況により良く適応することができ、さらにリソース配置の衝突を回避することができる。
【００８６】
以上に図１−図５と組み合わせ、端末装置の観点から本出願の実施例による伝送リソース確定方法を詳細に説明し、以下に図６と組み合わせ、ネットワーク装置の観点から本出願の実施例による伝送リソース確定方法を説明する。
【００８７】
図６は本出願の実施例による伝送リソース確定方法２００の概略フローチャートであり、該方法２００はネットワーク装置によって実行されてもよい。図６に示すように、該方法２００は、ターゲット時間ユニットにおける少なくとも一つの第１リソースを確定し、該少なくとも一つの第１リソースが、グラントフリーデータ及び／又は半持続的スケジューリングデータを搬送することに用いられるＳ２１０と、ターゲット時間ユニット内の端末装置のリソース割り当て状況を確定するＳ２２０と、該リソース割り当て状況に基づいて、該少なくとも一つの第１リソースにおいて利用可能なリソースを確定するＳ２３０と、該利用可能なリソースを使用して該端末装置に該グラントフリーデータ及び／又は半持続的スケジューリングデータを伝送するＳ２４０とを含む。
【００８８】
したがって、本出願の実施例の伝送リソース確定方法では、ネットワーク装置は、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【００８９】
選択可能に、ターゲット時間ユニットにおける少なくとも一つの第１リソースを確定した後、該方法はさらに該端末装置へ配置シグナリングを送信し、該配置シグナリングが該少なくとも一つの第１リソースを示すことに用いられることを含む。
【００９０】
選択可能に、該ターゲット時間ユニット内の端末装置に配置されたリソースを確定した後、該方法はさらに該端末装置へリソース情報を送信し、該リソース情報が該リソース割り当て状況を示すことを含む。
【００９１】
選択可能に、該リソース情報は少なくとも一つの帯域幅部分及び／又は該ターゲット時間ユニットのスロットフォーマットを示すことに用いられる。
【００９２】
選択可能に、該リソース割り当て状況に基づいて、該少なくとも一つの第１リソースにおいて利用可能なリソースを確定することは、該リソース割り当て状況に基づいて、該ターゲット時間ユニットにおいて少なくとも一つの第２リソースを確定し、該少なくとも一つの第２リソースのターゲット特徴が該少なくとも一つの第１リソースのターゲット特徴と同じであることと、該少なくとも一つの第１リソースと該少なくとも一つの第２リソースとの重畳するリソースにおいて、該利用可能なリソースを確定することとを含む。
【００９３】
選択可能に、該ターゲット特徴は、伝送方向、サブ搬送波間隔及びサイクリックプレフィックス長の少なくとも１つを含む。
【００９４】
選択可能に、該少なくとも一つの第１リソースと該少なくとも一つの第２リソースとの重畳するリソースにおいて、該利用可能なリソースを確定することは、該少なくとも一つの第１リソースと該少なくとも一つの第２リソースとの少なくとも一つの重畳リソースにおけるターゲット重畳リソースが予め設定された条件を満たす場合、該ターゲット重畳リソースを該利用可能なリソースとして確定することを含む。
【００９５】
選択可能に、該少なくとも一つの重畳リソースのうちの各重畳リソースは、少なくとも一つの時間領域シンボルを含み、該予め設定された条件が、該ターゲット重畳リソースに含まれる少なくとも一つの時間領域シンボルの数が予め設定された値以上である場合、該ターゲット重畳リソースを該利用可能なリソースとして確定することを含む。
【００９６】
選択可能に、該予め設定された値は、該少なくとも一つの第１リソースのうちの一つの第１リソースに含まれる時間領域シンボルの数に等しい。
【００９７】
選択可能に、該方法はさらに該端末装置へ配置情報を送信し、該配置情報が該予め設定された値を示すことに用いられることを含む。
【００９８】
選択可能に、該少なくとも一つの重畳リソースが基準信号に占有されたリソースを含み、該予め設定された条件が、該ターゲット重畳リソースが基準信号に占有されたリソースを含み、該基準信号がターゲットアンテナポートに対応する基準信号の一部又は全部である場合、該ターゲット重畳リソースを該利用可能なリソースとして確定し、該ターゲットアンテナポートが該グラントフリーデータ及び／又は半持続的スケジューリングデータを伝送するための少なくとも一つのアンテナポートのうちのアンテナポートであることを含む。
【００９９】
選択可能に、該少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースを該利用可能なリソースとして確定することを含み、ここで、該ターゲット重畳リソースが該第１ターゲット重畳リソースと該第２ターゲット重畳リソースを含み、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースであることを含むことができる。
【０１００】
選択可能に、該第１基準信号と該第２基準信号はチャネル推定を共同で行うことに用いられる。
【０１０１】
理解すべきものとして、該方法２００におけるネットワーク装置は、方法１００におけるネットワーク装置に対応してもよく、該方法２００における端末装置は方法１００における端末装置に対応してもよく、ここで説明を省略する。
【０１０２】
したがって、本出願の実施例の伝送リソース確定方法では、ネットワーク装置は、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１０３】
また、本出願の様々な実施例では、上記各プロセスの番号の大きさが実行順序を意味せず、各プロセスの実行順序はその機能と内部論理で確定されるべきであり、本出願の実施例の実施プロセスのいかなる限定を構成すべきではないと理解すべきである。
【０１０４】
また、本明細書では用語「及び／又は」は、関連するオブジェクトの関連関係を記述するためのものだけであり、３種類の関係が存在してもよいことを示し、Ａ及び／又はＢは、Ａが単独で存在すること、ＡとＢが同時に存在すること、Ｂが単独で存在することの３つの状況を示すことができる。また、本明細書では文字「／」は、一般的に前後にある関連オブジェクトが「又は」の関係であることを示す。
【０１０５】
以上に図１−図６を組み合わせて本出願の実施例による伝送リソース確定方法を詳細に説明したが、以下に図７−図１０を組み合わせて本出願の実施例による端末装置とネットワーク装置を説明する。
【０１０６】
図７に示すように、本出願の実施例による端末装置３００は確定ユニット３１０と送信ユニット３２０を備える。具体的には、該確定ユニット３１０は、ターゲット時間ユニットにおける少なくとも一つの第１リソースを確定するように構成され、該少なくとも一つの第１リソースが、グラントフリーデータ及び／又は半持続的スケジューリングデータを搬送することに用いられ、該送受信ユニット３２０は、ネットワーク装置から送信されたリソース情報を受信するように構成され、該リソース情報が該ターゲット時間ユニットにおけるリソース割り当て状況を示すことに用いられ、該確定ユニット３１０はさらに該リソース情報に基づき、該少なくとも一つの第１リソースにおいて利用可能なリソースを確定するように構成され、該送受信ユニット３２０はさらに該利用可能なリソースを使用して該ネットワーク装置に該グラントフリーデータ及び／又は半持続的スケジューリングデータを伝送するように構成される。
【０１０７】
したがって、本出願の実施例の端末装置では、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１０８】
選択可能に、該送受信ユニット３２０は具体的に該ネットワーク装置から送信された配置シグナリングを受信するように構成され、該配置シグナリングが該少なくとも一つの第１リソースを示すことに用いられる。
【０１０９】
選択可能に、該リソース情報は少なくとも一つの帯域幅部分及び／又は該ターゲット時間ユニットのスロットフォーマットを示すことに用いられる。
【０１１０】
選択可能に、該確定ユニット３１０は、具体的に該リソース情報に基づき、該ターゲット時間ユニットで少なくとも一つの第２リソースを確定し、該少なくとも一つの第２リソースのターゲット特徴が該少なくとも一つの第１リソースのターゲット特徴と同じであり、該少なくとも一つの第１リソースと該少なくとも一つの第２リソースとの重畳するリソースにおいて、該利用可能なリソースを確定するように構成される。
【０１１１】
選択可能に、該ターゲット特徴は、伝送方向、サブ搬送波間隔及びサイクリックプレフィックス長の少なくとも１つを含む。
【０１１２】
選択可能に、該確定ユニット３１０は、具体的に該少なくとも一つの第１リソースと該少なくとも一つの第２リソースとの少なくとも一つの重畳リソースにおけるターゲット重畳リソースが予め設定された条件を満たす場合、該ターゲット重畳リソースを該利用可能なリソースとして確定するように構成される。
【０１１３】
選択可能に、該少なくとも一つの重畳リソースのうちの各重畳リソースは、少なくとも一つの時間領域シンボルを含み、該予め設定された条件が、該ターゲット重畳リソースに含まれる少なくとも一つの時間領域シンボルの数が予め設定された値以上である場合、該ターゲット重畳リソースを該利用可能なリソースとして確定することを含む。
【０１１４】
選択可能に、該予め設定された値は、該少なくとも一つの第１リソースのうちの一つの第１リソースに含まれる時間領域シンボルの数に等しい。
【０１１５】
選択可能に、該送受信ユニット３２０は具体的に該ネットワーク装置から送信された配置情報を受信するように構成され、該配置情報が該予め設定された値を示すことに用いられる。
【０１１６】
選択可能に、該少なくとも一つの重畳リソースが基準信号に占有されたリソースを含み、該予め設定された条件が、該ターゲット重畳リソースが基準信号に占有されたリソースを含み、該基準信号がターゲットアンテナポートに対応する基準信号の一部又は全部である場合、該ターゲット重畳リソースを該利用可能なリソースとして確定し、該ターゲットアンテナポートが該グラントフリーデータ及び／又は半持続的スケジューリングデータを伝送するための少なくとも一つのアンテナポートのうちのアンテナポートであることを含む。
【０１１７】
選択可能に、該少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースを該利用可能なリソースとして確定することを含むことができ、ここで、該ターゲット重畳リソースが該第１ターゲット重畳リソースと該第２ターゲット重畳リソースを含み、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースである。
【０１１８】
選択可能に、該第１基準信号と該第２基準信号はチャネル推定を共同で行うことに用いられる。
【０１１９】
理解すべきものとして、本出願の実施例による端末装置３００は本出願の実施例における方法１００を実行するための端末装置に対応してもよく、且つ端末装置３００の各ユニットの上記と他の操作及び／又は機能はそれぞれ図１〜図６の各方法における端末装置の対応するプロセスを実現するためのものであり、簡潔にするために、ここでは説明を省略する。
【０１２０】
したがって、本出願の実施例の端末装置では、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当てを動的に示す場合、半静的に配置されたグラントフリーの伝送リソースが実際の伝送リソースの状況により良く適応することができ、さらにリソース配置の衝突を回避することができる。
【０１２１】
図８に示すように、本出願の実施例によるネットワーク装置４００は確定ユニット４１０と送受信ユニット４２０を備える。具体的には、該確定ユニット４１０は、ターゲット時間ユニットにおける少なくとも一つの第１リソースを確定するように構成され、該少なくとも一つの第１リソースが、グラントフリーデータ及び／又は半持続的スケジューリングデータを搬送することに用いられ、該確定ユニット４１０はさらに該ターゲット時間ユニットにおける端末装置のリソース割り当て状況を確定するように構成され、該確定ユニット４１０はさらに該リソース割り当て状況に基づいて、該少なくとも一つの第１リソースにおいて利用可能なリソースを確定するように構成され、該送受信ユニット４２０は該利用可能なリソースを使用して該端末装置に該グラントフリーデータ及び／又は半持続的スケジューリングデータを伝送するように構成される。
【０１２２】
したがって、本出願の実施例のネットワーク装置では、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１２３】
選択可能に、該送受信ユニット４２０は、具体的に該確定ユニット４１０がターゲット時間ユニットにおける少なくとも一つの第１リソースを確定した後、該端末装置へ配置シグナリングを送信するように構成され、該配置シグナリングが該少なくとも一つの第１リソースを示すことに用いられる。
【０１２４】
選択可能に、該送受信ユニット４２０は具体的に該確定ユニット４１０が該ターゲット時間ユニット内の端末装置に配置されたリソースを確定した後、該端末装置へリソース情報を送信するように構成され、該リソース情報が該リソース割り当て状況を示すことに用いられる。
【０１２５】
選択可能に、該リソース情報は少なくとも一つの帯域幅部分及び／又は該ターゲット時間ユニットのスロットフォーマットを示すことに用いられる。
【０１２６】
選択可能に、該確定ユニット４１０は、具体的に該リソース割り当て状況に基づいて、該ターゲット時間ユニットで少なくとも一つの第２リソースを確定し、該少なくとも一つの第２リソースのターゲット特徴が該少なくとも一つの第１リソースのターゲット特徴と同じであり、該少なくとも一つの第１リソースと該少なくとも一つの第２リソースとの重畳するリソースにおいて、該利用可能なリソースを確定するように構成される。
【０１２７】
選択可能に、該ターゲット特徴は、伝送方向、サブ搬送波間隔及びサイクリックプレフィックス長の少なくとも１つを含む。
【０１２８】
選択可能に、該確定ユニット４１０は、具体的に該少なくとも一つの第１リソースと該少なくとも一つの第２リソースとの少なくとも一つの重畳リソースにおけるターゲット重畳リソースが予め設定された条件を満たす場合、該ターゲット重畳リソースを該利用可能なリソースとして確定するように構成される。
【０１２９】
選択可能に、該少なくとも一つの重畳リソースのうちの各重畳リソースは、少なくとも一つの時間領域シンボルを含み、該予め設定された条件が、該ターゲット重畳リソースに含まれる少なくとも一つの時間領域シンボルの数が予め設定された値以上である場合、該ターゲット重畳リソースを該利用可能なリソースとして確定することを含む。
【０１３０】
選択可能に、該予め設定された値は、該少なくとも一つの第１リソースのうちの一つの第１リソースに含まれる時間領域シンボルの数に等しい。
【０１３１】
選択可能に、該ネットワーク装置は該端末装置へ配置情報を送信し、該配置情報が該予め設定された値を示すことに用いられることをさらに含む。
【０１３２】
選択可能に、該少なくとも一つの重畳リソースが基準信号に占有されたリソースを含み、該予め設定された条件が、該ターゲット重畳リソースが基準信号に占有されたリソースを含み、該基準信号がターゲットアンテナポートに対応する基準信号の一部又は全部である場合、該ターゲット重畳リソースを該利用可能なリソースとして確定し、該ターゲットアンテナポートが該グラントフリーデータ及び／又は半持続的スケジューリングデータを伝送するための少なくとも一つのアンテナポートのうちのアンテナポートであることを含む。
【０１３３】
選択可能に、該少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースを該利用可能なリソースとして確定することを含み、ここで、該ターゲット重畳リソースが該第１ターゲット重畳リソースと該第２ターゲット重畳リソースを含み、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースである。
【０１３４】
選択可能に、該第１基準信号と該第２基準信号はチャネル推定を共同で行うことに用いられる。
【０１３５】
理解すべきものとして、本出願の実施例によるネットワーク装置４００は本出願の方法の実施例における方法２００を実行するためのネットワーク装置に対応してもよく、且つネットワーク装置４００の各ユニットの上記と他の操作及び／又は機能はそれぞれ図１−図６の各方法におけるネットワーク装置の対応するプロセスを実現するためのものであり、簡潔にするために、ここでは説明を省略する。
【０１３６】
したがって、本出願の実施例のネットワーク装置では、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１３７】
図９は本出願の実施例による端末装置５００を示す概略ブロック図である。図９に示すように、該端末装置５００はプロセッサ５１０と送受信器５２０を備え、プロセッサ５１０が送受信器５２０に接続され、選択可能に、該端末装置５００はさらにメモリ５３０を備え、メモリ５３０がプロセッサ５１０に接続される。ここで、プロセッサ５１０、メモリ５３０と送受信器５２０は、内部接続パスを介して互いに通信し、データ信号を伝送及び／又は制御し、該メモリ５３０が命令を記憶するように構成されてもよく、該プロセッサ５１０が該メモリ５３０に記憶された命令を実行して、情報又は信号を送信するように送受信器５２０を制御するように構成されてもよく、該プロセッサ５１０がターゲット時間ユニットにおける少なくとも一つの第１リソースを確定するように構成され、該少なくとも一つの第１リソースが、グラントフリーデータ及び／又は半持続的スケジューリングデータを搬送することに用いられ、該送受信器５２０はネットワーク装置から送信されたリソース情報を受信するように構成され、該リソース情報が該ターゲット時間ユニット内のリソース割り当て状況を示すことに用いられ、該プロセッサ５１０はさらに該リソース情報に基づき、該少なくとも一つの第１リソースにおいて利用可能なリソースを確定するように構成され、該送受信器５２０はさらに該利用可能なリソースを使用して該ネットワーク装置に該グラントフリーデータ及び／又は半持続的スケジューリングデータを伝送するように構成される。
【０１３８】
したがって、本出願の実施例の端末装置では、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１３９】
選択可能に、一つの実施例として、該送受信器５２０はさらに該ネットワーク装置から送信された配置シグナリングを受信するように構成され、該配置シグナリングが該少なくとも一つの第１リソースを示すことに用いられる。
【０１４０】
選択可能に、一つの実施例として、該リソース情報は少なくとも一つの帯域幅部分及び／又は該ターゲット時間ユニットのスロットフォーマットを示すことに用いられる。
【０１４１】
選択可能に、一つの実施例として、該プロセッサ５１０はさらに該リソース情報に基づき、該ターゲット時間ユニットにおいて少なくとも一つの第２リソースを確定し、該少なくとも一つの第２リソースのターゲット特徴が該少なくとも一つの第１リソースのターゲット特徴と同じであり、該少なくとも一つの第１リソースと該少なくとも一つの第２リソースとの重畳するリソースにおいて、該利用可能なリソースを確定するように構成される。
【０１４２】
選択可能に、一つの実施例として、該ターゲット特徴は、伝送方向、サブ搬送波間隔及びサイクリックプレフィックス長の少なくとも１つを含む。
【０１４３】
選択可能に、一つの実施例として、該プロセッサ５１０はさらに該少なくとも一つの第１リソースと該少なくとも一つの第２リソースとの少なくとも一つの重畳リソースにおけるターゲット重畳リソースが予め設定された条件を満たす場合、該ターゲット重畳リソースを該利用可能なリソースとして確定するように構成される。
【０１４４】
選択可能に、一つの実施例として、該少なくとも一つの重畳リソースのうちの各重畳リソースは、少なくとも一つの時間領域シンボルを含み、該予め設定された条件が、該ターゲット重畳リソースに含まれる少なくとも一つの時間領域シンボルの数が予め設定された値以上である場合、該ターゲット重畳リソースを該利用可能なリソースとして確定することを含む。
【０１４５】
選択可能に、一つの実施例として、該予め設定された値は、該少なくとも一つの第１リソースのうちの一つの第１リソースに含まれる時間領域シンボルの数に等しい。
【０１４６】
選択可能に、一つの実施例として、該送受信器５２０はさらに該ネットワーク装置から送信された配置情報を受信するように構成され、該配置情報が該予め設定された値を示すことに用いられる。
【０１４７】
選択可能に、一つの実施例として、該少なくとも一つの重畳リソースが基準信号に占有されたリソースを含み、該予め設定された条件が、該ターゲット重畳リソースが基準信号に占有されたリソースを含み、該基準信号がターゲットアンテナポートに対応する基準信号の一部又は全部である場合、該ターゲット重畳リソースを該利用可能なリソースとして確定し、該ターゲットアンテナポートが該グラントフリーデータ及び／又は半持続的スケジューリングデータを伝送するための少なくとも一つのアンテナポートのうちのアンテナポートであることを含む。
【０１４８】
選択可能に、一つの実施例として、該少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースを該利用可能なリソースとして確定することを含み、ここで、該ターゲット重畳リソースが該第１ターゲット重畳リソースと該第２ターゲット重畳リソースを含み、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースである。
【０１４９】
選択可能に、一つの実施例として、該第１基準信号と該第２基準信号はチャネル推定を共同で行うことに用いられる。
【０１５０】
理解すべきものとして、本出願の実施例による端末装置５００は本出願の実施例における端末装置３００に対応してもよく、本出願の実施例による方法１００を実行するための該当する本体に対応してもよく、端末装置５００における各ユニットの上記と他の操作及び／又は機能はそれぞれ図１−図６の各方法における端末装置の対応するプロセスを実現するためのものであり、簡潔にするために、ここでは説明を省略する。
【０１５１】
したがって、本出願の実施例の端末装置では、ネットワーク装置によって配置されたリソースにより、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示場合、半静的に配置されたグラントフリーの伝送リソースが実際の伝送リソースの状況により良く適応することができ、さらにリソース配置の衝突を回避することができる。
【０１５２】
図１０は本出願の実施例によるネットワーク装置６００を示す概略ブロック図である。図１０に示すように、該ネットワーク装置６００はプロセッサ６１０と送受信器６２０を備え、プロセッサ６１０が送受信器６２０に接続され、選択可能に、該ネットワーク装置６００はさらにメモリ６３０を備え、メモリ６３０がプロセッサ６１０に接続される。ここで、プロセッサ６１０、メモリ６３０と受信器６２０は、内部接続パスを介して互いに通信し、データ信号を伝送及び／又は制御し、該メモリ６３０が命令を記憶するように構成されてもよく、該プロセッサ６１０が該メモリ６３０に記憶された命令を実行して、情報又は信号を送信するように送受信器６２０を制御するように構成され、該プロセッサ６１０がターゲット時間ユニットにおける少なくとも一つの第１リソースを確定し、該少なくとも一つの第１リソースが、グラントフリーデータ及び／又は半持続的スケジューリングデータを搬送することに用いられ、該ターゲット時間ユニットにおける端末装置のリソース割り当て状況を確定し、該少なくとも一つの第１リソースにおいて利用可能なリソースを確定するように構成され、該送受器６２０は該利用可能なリソースを使用して該端末装置に該グラントフリーデータ及び／又は半持続的スケジューリングデータを伝送するように構成される。
【０１５３】
したがって、本出願の実施例のネットワーク装置では、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１５４】
選択可能に、一つの実施例として、該送受信ユニット６２０はさらに該プロセッサ６１０がターゲット時間ユニットにおける少なくとも一つの第１リソースを確定した後、該端末装置へ配置シグナリングを送信するように構成され、該配置シグナリングが該少なくとも一つの第１リソースを示すことに用いられる。
【０１５５】
選択可能に、一つの実施例として、該送受信器６２０はさらに該プロセッサ６１０が該ターゲット時間ユニット内の端末装置に配置されたリソースを確定した後、該端末装置へリソース情報を送信するように構成され、該リソース情報が該リソース割り当て状況を示すことに用いられる。
【０１５６】
選択可能に、一つの実施例として、該リソース情報は少なくとも一つの帯域幅部分及び／又は該ターゲット時間ユニットのスロットフォーマットを示すことに用いられる。
【０１５７】
選択可能に、一つの実施例として、該プロセッサ６１０は該リソース割り当て状況に基づいて、該ターゲット時間ユニットで少なくとも一つの第２リソースを確定し、該少なくとも一つの第２リソースのターゲット特徴が該少なくとも一つの第１リソースのターゲット特徴と同じであり、該少なくとも一つの第１リソースと該少なくとも一つの第２リソースとの重畳するリソースにおいて、該利用可能なリソースを確定するように構成される。
【０１５８】
選択可能に、一つの実施例として、該ターゲット特徴は、伝送方向、サブ搬送波間隔及びサイクリックプレフィックス長の少なくとも１つを含む。
【０１５９】
選択可能に、一つの実施例として、該プロセッサ６１０は該少なくとも一つの第１リソースと該少なくとも一つの第２リソースとの少なくとも一つの重畳リソースにおけるターゲット重畳リソースが予め設定された条件を満たす場合、該ターゲット重畳リソースを該利用可能なリソースとして確定するように構成される。
【０１６０】
選択可能に、一つの実施例として、該少なくとも一つの重畳リソースのうちの各重畳リソースは、少なくとも一つの時間領域シンボルを含み、該予め設定された条件が、該ターゲット重畳リソースに含まれる少なくとも一つの時間領域シンボルの数が予め設定された値以上である場合、該ターゲット重畳リソースを該利用可能なリソースとして確定することを含む。
【０１６１】
選択可能に、一つの実施例として、該予め設定された値は、該少なくとも一つの第１リソースのうちの一つの第１リソースに含まれる時間領域シンボルの数に等しい。
【０１６２】
選択可能に、一つの実施例として、該ネットワーク装置は該端末装置へ配置情報を送信し、該配置情報が該予め設定された値を示すことに用いられることをさらに含む。
【０１６３】
選択可能に、一つの実施例として、該少なくとも一つの重畳リソースが基準信号に占有されたリソースを含み、該予め設定された条件が、該ターゲット重畳リソースが基準信号に占有されたリソースを含み、該基準信号がターゲットアンテナポートに対応する基準信号の一部又は全部である場合、該ターゲット重畳リソースを該利用可能なリソースとして確定することを含み、該ターゲットアンテナポートが該グラントフリーデータ及び／又は半持続的スケジューリングデータを伝送するための少なくとも一つのアンテナポートのうちのアンテナポートである。
【０１６４】
選択可能に、一つの実施例として、該少なくとも一つの第１リソースが第１サブリソースと第２サブリソースを含み、該第１サブリソースと該第２サブリソースが時間領域又は周波数領域で隣接し、該第１サブリソースが第１基準信号に占有されたリソースを含み、該第２サブリソースが第２基準信号に占有されたリソースを含み、該予め設定された条件が、第１ターゲット重畳リソースが該第１基準信号に占有されたリソースの一部を含まなく又は含み、第２ターゲット重畳リソースが該第２基準信号に占有されたリソースの全部又は一部を含む場合、該第１ターゲット重畳リソースと該第２ターゲット重畳リソースを該利用可能なリソースとして確定することを含み、ここで、該ターゲット重畳リソースが該第１ターゲット重畳リソースと該第２ターゲット重畳リソースを含み、該第１ターゲット重畳リソースが該第１サブリソースと該少なくとも一つの第２リソースとの重畳リソースであり、該第２ターゲット重畳リソースが該第２サブリソースと該少なくとも一つの第２リソースとの重畳リソースである。
【０１６５】
選択可能に、一つの実施例として、該第１基準信号と該第２基準信号はチャネル推定を共同で行うことに用いられる。
【０１６６】
理解すべきものとして、本出願の実施例によるネットワーク装置６００は本出願の実施例におけるネットワーク装置４００に対応してもよく、本出願の実施例による方法２００を実行するための該当する本体に対応してもよく、ネットワーク装置６００における各ユニットの上記と他の操作及び／又は機能はそれぞれ図１−図６の各方法におけるネットワーク装置の対応するプロセスを実現するためのものであり、簡潔にするために、ここでは説明を省略する。
【０１６７】
したがって、本出願の実施例のネットワーク装置では、端末装置にリソースを割り当て、これによって、ネットワーク装置と端末装置が、ターゲット時間ユニット内の、グラントフリーデータ及び／又は半持続的スケジューリングデータを伝送するための少なくとも一つの第１リソースにおいて、利用可能なリソースを確定し、該利用可能なリソースを使用して該グラントフリーデータ及び／又は半持続的スケジューリングデータを伝送し、これにより、特に時間領域と周波数領域リソースの割り当て状況を動的に示す場合、半静的に配置されたグラントフリーの伝送リソースが実際の伝送リソースの状況により良く適応することができ、さらにリソース配置の衝突を回避することができる。
【０１６８】
注意すべきものとして、本出願の上記方法の実施例はプロセッサに応用されてもよく、又はプロセッサによって実現されてもよい。プロセッサは信号処理機能を有する集積回路チップである可能性がある。実施プロセスでは、上記方法の実施例における各ステップは、プロセッサ内のハードウェアの集積論理回路又はソフトウェアの形の命令によって完されてもよい。上記プロセッサは汎用プロセッサ、デジタル信号プロセッサ（ＤＳＰ：ｄｉｇｉｔａｌ  ｓｉｇｎａｌ  ｐｒｏｃｅｓｓｏｒ）、特定用途向け集積回路（ＡＳＩＣ：ａｐｐｌｉｃａｔｉｏｎ  ｓｐｅｃｉｆｉｃ  ｉｎｔｅｇｒａｔｅｄ  ｃｉｒｃｕｉｔ）、フィールドプログラマブルゲートアレイ（ＦＰＧＡ：ｆｉｅｌｄ  ｐｒｏｇｒａｍｍａｂｌｅ  ｇａｔｅ  ａｒｒａｙ）又は他のプログラマブル論理デバイス、ディスクリートゲート又はトランジスタ論理デバイス、ディスクリートハードウェア部材であってもよい。本出願の実施例において開示される各方法、ステップ及び論理ブロック図を実現又は実行することができる。汎用プロセッサはマイクロプロセッサであってもよく、又は該プロセッサはいずれかの従来のプロセッサなどであってもよい。本出願の実施例と組み合わせて開示された方法のステップはハードウェア復号プロセッサによって実行されて完了され、又は復号プロセッサにおけるハードウェア及びソフトウェアモジュールの組み合わせによって実行されて完了されるように直接具現化されてもよい。ソフトウェアモジュールはランダムアクセスメモリ、フラッシュメモリ、読み取り専用メモリ、プログラマブル読み取り専用メモリ又は電気的消去可能プログラマブルメモリ、レジスタなどの本分野における成熟した記憶媒体に位置してもよい。該記憶媒体はメモリに位置し、プロセッサはメモリにおける情報を読み取り、そのハードウェアと組み合わせて上記方法のステップを完了する。
【０１６９】
本出願の実施例におけるメモリは揮発性記憶装置又は不揮発性記憶装置であってもよく、又は揮発性記憶装置及び不揮発性記憶装置両者を含むことができることが理解できる。ここで、不揮発性記憶装置は読み取り専用メモリ（ＲＯＭ：ｒｅａｄ−ｏｎｌｙ  ｍｅｍｏｒｙ）、プログラマブル読み取り専用メモリ（ＰＲＯＭ：ｐｒｏｇｒａｍｍａｂｌｅ  ｒｏｍ）、消去可能プログラマブル読み取り専用メモリ（ＥＰＲＯＭ：ｅｒａｓａｂｌｅ  ＰＲＯＭ）、電気的消去可能プログラマブル読み取り専用メモリ（ＥＥＰＲＯＭ：ｅｌｅｃｔｒｉｃａｌｌｙ  ＥＰＲＯＭ）又はフラッシュメモリであってもよい。揮発性記憶装置は外部キャッシュメモリとして機能するランダムアクセスメモリ（ＲＡＭ：ｒａｎｄｏｍ  ａｃｃｅｓｓ  ｍｅｍｏｒｙ）であってもよい。制限的でなく例示的な説明により、多くの形態のＲＡＭは利用可能であり、例えばスタティックランダムアクセスメモリ（ＳＲＡＭ：ｓｔａｔｉｃ  ＲＡＭ）、動的ランダムアクセスメモリ（ＤＲＡＭ：ｄｙｎａｍｉｃ  ＲＡＭ）、同期動的ランダムアクセスメモリ（ＳＤＲＡＭ：ｓｙｎｃｈｒｏｎｏｕｓ  ＤＲＡＭ）、ダブルデータレート同期動的ランダムアクセスメモリ（ＤＤＲ  ＳＤＲＡＭ：ｄｏｕｂｌｅ  ｄａｔａ  ｒａｔｅ  ＳＤＲＡＭ）、強化型同期動的ランダムアクセスメモリ（ＥＳＤＲＡＭ：ｅｎｈａｎｃｅｄ  ＳＤＲＡＭ）、同期リンク動的ランダムアクセスメモリ（ＳＬＤＲＡＭ：ｓｙｎｃｈｌｉｎｋ  ＤＲＡＭ）とダイレクトラムバスランダムアクセスメモリ（ＤＲ  ＲＡＭ：ｄｉｒｅｃｔ  ｒａｍｂｕｓ  ＲＡＭ）である。注意すべきものとして、本明細書に記載のシステムと方法のメモリはこれらといずれかの他の適切なタイプのメモリを含むことを図るがこれらに限定されない。
【０１７０】
当業者であれば、本明細書で開示される実施例と組み合わせて説明された各例のユニット及びアルゴリズムステップは、電子ハードウェア、又はコンピュータソフトウェアと電子ハードウェアの組み合わせで実現されてもよいと理解できる。これらの機能がハードウエア又はソフトウエアで実行されるかは、技術的解決策の特定アプリケーションと設計制約条件に依存する。当業者は各特定のアプリケーションに対して異なる方法を用いて記述される機能を実現することができるが、このような実現は本出願の範囲を超えると考えられるべきではない。
【０１７１】
当業者は、便利及び簡潔に説明するために、上記のシステム、装置及びユニットの具体的な動作プロセスについて、前記方法の実施例における対応するプロセスを参照でき、ここで説明を省略することを明確に理解することができる。
【０１７２】
本出願が提供する、いくつかの実施例では、開示されるシステム、装置及び方法は、他の方式により実現されてもよいと理解すべきである。例えば、上記の装置の実施例は例示的なものだけであり、例えば、前記ユニットの区分は、論理機能的区分だけであり、実際に実施する時に他の区分方式もあり得て、例えば複数のユニット又は構成要素は組み合わせてもよい又は別のシステムに統合されてもよく、又はいくつかの特徴は無視されてもよく、又は実行されなくてもよい。また、示される又は議論される相互結合又は直接結合又は通信接続はいくつかのインターフェース、装置又はユニットを介する間接的結合又は通信接続であってもよく、電気的、機械的又は他の形態であってもよい。
【０１７３】
分離部材として説明された前記ユニットは物理的に分離するものであってもよく又は物理的に分離するものでなくてもよく、ユニットとして表示された部材は物理ユニットであってもよく又は物理的ユニットでなくてもよく、すなわち一つの箇所に位置してもよく、又は複数のネットワーク要素に分布してもよい。実際のニーズに応じてそのうちの一部又は全てのユニットを選択して本実施例の解決策の目的を達成することができる。
【０１７４】
また、本出願の各実施例における各機能ユニットは一つの処理ユニットに統合されてもよく、個々のユニットは単独で物理的に存在してもよく、二つ又は二つ以上のユニットは一つのユニットに統合されてもよい。
【０１７５】
前記機能はソフトウェア機能ユニットの形態で実現され且つ独立した製品として販売又は使用される時に、一つのコンピュータ読み取り可能な記憶媒体に格納されてもよい。このような理解に基づき、本出願の技術的解決策は本質的に又は従来技術に寄与する部分又は該技術的解決策の部分がソフトウェア製品の形で実現されてもよく、該コンピュータソフトウェア製品がコンピュータ装置（パーソナルコンピュータ、サーバ、又はネットワークデバイス等であってもよい）に本出願の様々な実施例に記載された方法の全て又は一部のステップを実行させるためのいくつかの命令を含む、記憶媒体に記憶される。前記憶媒体はＵディスク、モバイルハードディスク、読み出し専用メモリ（ＲＯＭ：ｒｅａｄ−ｏｎｌｙ  ｍｅｍｏｒｙ）、ランダムアクセスメモリ（ＲＡＭ：ｒａｎｄｏｍ  ａｃｃｅｓｓ  ｍｅｍｏｒｙ）、磁気ディスク又は光ディスク等のプログラムコードを記憶できる各種の媒体を含む。
【０１７６】
以上は、本出願の実施例の具体的な実施形態だけであるが、本出願の保護範囲はこれに制限されず、当業者が本出願で開示された技術範囲内で容易に想到し得る変化又は入れ替わりが全て本出願の保護範囲内に含まれるべきである。従って、本出願の保護範囲は前記請求項の保護範囲に準拠するべきである。
【図１】
2021512522.tif 000003
【図２】
2021512522.tif 000004
【図３】
2021512522.tif 000005
【図４】
2021512522.tif 000006
【図５】
2021512522.tif 000007
【図６】
2021512522.tif 000008
【図７】
2021512522.tif 000009
【図８】
2021512522.tif 000010
【図９】
2021512522.tif 000011
【図１０】
2021512522.tif 000012
【手続補正書】
【提出日】令和2年11月17日(2020.11.17)
【手続補正１】
【補正対象書類名】特許請求の範囲
【補正対象項目名】全文
【補正方法】変更
【補正の内容】
【特許請求の範囲】
【請求項１】
伝送リソース確定方法であって、
ネットワーク装置から送信されたリソース情報を受信し、前記リソース情報が、スロットのスロットフォーマットを示すことに用いられることと、
前記リソース情報に基づき、前記スロット内の少なくとも一つの第１リソースにおいて利用可能なリソースを確定することと、
前記利用可能なリソースを使用して、前記ネットワーク装置と、前記グラントフリーデータ及び／又は半持続的スケジューリングデータの伝送を行うこととを含む、前記伝送リソース確定方法。
【請求項２】
前記リソース情報に基づき、前記スロット内の少なくとも一つの第１リソースにおいて利用可能なリソースを確定することは、
前記リソース情報に基づき、前記スロットにおいて少なくとも一つの第２リソースを確定し、前記少なくとも一つの第２リソースのターゲット特徴が前記少なくとも一つの第１リソースのターゲット特徴と同じであることと、
前記少なくとも一つの第１リソースと前記少なくとも一つの第２リソースとの重畳するリソースにおいて、前記利用可能なリソースを確定することとを含むことを特徴とする
請求項１に記載の方法。
【請求項３】
前記リソース情報に基づき、前記スロット内の少なくとも一つの第１リソースにおいて利用可能なリソースを確定することは、
前記リソース情報に基づき、前記スロットにおいて少なくとも一つの第２リソースを確定し、前記少なくとも一つの第２リソースが、前記少なくとも一つの第１リソースのうちの少なくとも一つを含むことと、
前記少なくとも一つの第１リソースのうちの少なくとも一つを利用可能なリソースとして確定することと、を含むことを特徴とする、
請求項１又は２に記載の方法。
【請求項４】
前記ターゲット特徴は、伝送方向を含むことを特徴とする
請求項２に記載の方法。
【請求項５】
前記伝送方向は、アップリンク伝送を含むことを特徴とする
請求項４に記載の方法。
【請求項６】
前記少なくとも一つの第１リソースと前記少なくとも一つの第２リソースとの重畳するリソースにおいて、前記利用可能なリソースを確定することは、
前記少なくとも一つの第１リソースと前記少なくとも一つの第２リソースとの少なくとも一つの重畳リソースにおけるターゲット重畳リソースが予め設定された条件を満たす場合、前記ターゲット重畳リソースを前記利用可能なリソースとして確定することを含むことを特徴とする
請求項２又は４に記載の方法。
【請求項７】
前記少なくとも一つの重畳リソースのうちの各重畳リソースは少なくとも一つの時間領域シンボルを含み、
前記予め設定された条件が、前記ターゲット重畳リソースに含まれる少なくとも一つの時間領域シンボルの数が予め設定された値以上である場合、前記ターゲット重畳リソースを前記利用可能なリソースとして確定することを含むことを特徴とする
請求項６に記載の方法。
【請求項８】
前記予め設定された値は、前記少なくとも一つの第１リソースのうちの一つの第１リソースに含まれる時間領域シンボルの数に等しいことを特徴とする
請求項７に記載の方法。
【請求項９】
端末装置であって、
ネットワーク装置から送信されたリソース情報を受信するように構成され、前記リソース情報が、スロットのスロットフォーマットを示すことに用いられる送受信ユニットと、
前記リソース情報に基づき、前記スロット内の少なくとも一つの第１リソースにおいて利用可能なリソースを確定するように構成される確定ユニットとを備え、
前記送受信ユニットはさらに前記利用可能なリソースを使用して、前記ネットワーク装置と、前記グラントフリーデータ及び／又は半持続的スケジューリングデータの伝送を行うように構成される、前記端末装置。
【請求項１０】
前記確定ユニットは具体的に、
前記リソース情報に基づき、前記スロットにおいて少なくとも一つの第２リソースを確定し、前記少なくとも一つの第２リソースのターゲット特徴が前記少なくとも一つの第１リソースのターゲット特徴と同じであり、
前記少なくとも一つの第１リソースと前記少なくとも一つの第２リソースとの重畳するリソースにおいて、前記利用可能なリソースを確定するように構成されることを特徴とする
請求項９に記載の端末装置。
【請求項１１】
前記確定ユニットは、さらに、
前記リソース情報に基づき、前記スロットにおいて少なくとも一つの第２リソースを確定し、前記少なくとも一つの第２リソースが、前記少なくとも一つの第１リソースのうちの少なくとも一つを含み、
前記少なくとも一つの第１リソースのうちの少なくとも一つを利用可能なリソースとして確定するように構成されることを特徴とする、
請求項９又は１０に記載の端末装置。
【請求項１２】
前記ターゲット特徴は、伝送方向を含むことを特徴とする
請求項１０に記載の端末装置。
【請求項１３】
前記伝送方向は、アップリンク伝送を含むことを特徴とする
請求項１２に記載の端末装置。
【請求項１４】
前記少なくとも一つの第１リソースのうちの少なくとも一つにおける少なくとも１つの時間領域シンボルは、アップリンクシンボルであることを特徴とする、
請求項１１に記載の端末装置。
【請求項１５】
前記送受信ユニットは、さらに、
前記ネットワーク装置から前記リソース情報を受信する前に、
前記ネットワーク装置から送信された配置シグナリングを受信するように構成され、前記配置シグナリングが、前記少なくとも一つの第１リソースを示すことに用いられることを特徴とする、
請求項９に記載の端末装置。
【国際調査報告】
2021512522.tif 000013
2021512522.tif 000014
2021512522.tif 000015
2021512522.tif 000016